(57)【特許請求の範囲】
【請求項１】
画像センサ（２１）を備えたカメラ（８）を測定するための装置（１）において、
該装置（１）が、少なくとも１つの検査しようとするカメラ（８）を少なくとも１つのカメラ位置（７）で保持するためのカメラホルダ（６）と、
様々な被写体幅を有するテストパターン（１２）のコリメータ光（１４）を出射するためのコリメータ装置（２）と、
前記コリメータ光（１４）を前記カメラ位置（７）に向かって偏向させるためのミラー装置（４，５）と、
を有しており、
前記ミラー装置（４，５）が、ミラー調整装置（３）によって複数の旋回位置に旋回可能な少なくとも１つの第１のミラー装置（４）と、複数の第２のミラーユニット（１８−ｉ）を備えた第２のミラー装置（５）とを有しており、
前記テストパターン（１２）を前記画像センサ（２１）の様々な画像領域において結像させるために、前記第２のミラーユニット（１８−ｉ）が、前記第１のミラー装置（４）の様々な旋回位置において該第１のミラー装置（４）から出射された光（１６−ｉ）を前記カメラ位置（７）に反射する、
カメラを測定するための装置。
【請求項２】
前記カメラ（８）は固定焦点カメラ（８）であることを特徴とする請求項１に記載の装置。
【請求項３】
前記第１のミラー装置（４）の各旋回位置のために、１つの第２のミラーユニット（１８−ｉ）が設けられており、該第２のミラーユニット（１８−ｉ）が、前記第１のミラー装置（４）から前記旋回位置において出射された光（１６ｉ）を、前記カメラ位置（７）に偏向させることを特徴とする、請求項１または２に記載の装置。
【請求項４】
前記カメラ位置（７）は、保持しようとする前記カメラ（８）の入射瞳（８ａ）の位置であることを特徴とする請求項３に記載の装置。
【請求項５】
前記第２のミラー装置（５）の複数の第２のミラーユニット（１８−ｉ）が互いに相対的に、かつ前記カメラホルダ（６）に対して固定された位置および固定された整列で配置されていることを特徴とする、請求項１から４のいずれか１項に記載の装置。
【請求項６】
前記第１のミラー装置（４）または該第１のミラー装置（４）の単数または複数の部分ミラーが、非平行な２つの旋回軸線（Ｃ，Ｄ）を中心にして、それぞれ複数の傾斜角度位置（α，β）に調節可能であることを特徴とする、請求項１から５のいずれか１項に記載の装置。
【請求項７】
前記２つの旋回軸線（Ｃ，Ｄ）は、直交し合う旋回軸線（Ｃ，Ｄ）であることを特徴とする請求項６に記載の装置。
【請求項８】
前記コリメータ装置（２）から前記カメラ位置（７）までの光路（１４，１６−ｉ，１８−ｉ）の全長が、前記第１のミラー装置（４）のすべての旋回位置において同じであるか、または公差範囲内にあることを特徴とする、請求項１から７のいずれか１項に記載の装置。
【請求項９】
前記コリメータ装置（２）が、前記テストパターン（１２）の平行な光を射出するための様々な焦点合わせまたは被写体幅を調節するために、調整装置（１５）によって焦点合わせ可能であることを特徴とする、請求項１から８のいずれか１項に記載の装置。
【請求項１０】
前記コリメータ装置（２）が、前記調整装置（１５）によって調整可能な前記テストパターン（１２）と、光学装置（９）と、前記テストパターン（１２）を透過または反射により照明するための照明装置（１０）とを有していることを特徴とする、請求項９に記載の装置。
【請求項１１】
前記装置が、制御および評価装置（３０）を有しており、該制御および評価装置（３０）が、前記カメラ（８）によって発生された画像信号（Ｓ１）を受信し、前記第１のミラー装置（４）の様々な旋回位置（α，β）、および前記コリメータ装置（２）の様々な焦点合わせまたは被写体幅を調節するための制御信号（Ｓ２，Ｓ３）をアウトプットし、
前記制御および評価装置（３０）が、前記旋回位置および前記焦点合わせまたは前記被写体幅で発生された画像信号（Ｓ１）からそれぞれ変調伝達関数の演算によって、コントラストを算出することを特徴とする、請求項９または１０に記載の装置。
【請求項１２】
前記第２のミラー装置（５）が単数または複数のミラーセット（１８，２０，２８）を有しており、各ミラーセットがそれぞれ複数の第２のミラーユニット（１８−ｉ，２０ｉ，２８ｉ）を有していて、これらのミラーユニットがそれぞれ、半球状または回転楕円体状の配置形式で互いに配置されていることを特徴とする、請求項１から１１のいずれか１項に記載の装置。
【請求項１３】
前記第２のミラーユニットはフラットに構成されていることを特徴とする、請求項１２に記載の装置。
【請求項１４】
前記第２のミラー装置（５）が少なくとも２つのミラーセット（１８，２０）を有していて、各ミラーセット（１８，２０）が、様々な開放角度（γ）を有するカメラ（８）を測定するためにそれぞれ複数の第２のミラーユニット（１８−ｉ，２０−ｉ）を有しており、
より大きい開放角度（γ）を有するカメラ（８）のためのミラーセット（１８）の２つの前記第２のミラーユニット（１８ｉ）が、より小さい開放角度（γ）を有するカメラ（８）のためのミラーセット（２０）の前記第２のミラーユニット（２０ｉ）よりも、互いに大きく離れて配置されている、
ことを特徴とする、請求項１２または１３に記載の装置。
【請求項１５】
互いにずらして配置された２つの光軸（Ｅ１，Ｅ２）を有するステレオカメラシステムを測定するために構成されており、
前記第２のミラー装置（５）が２つのミラーセット（１８，２８）を有していて、各ミラーセット（１８，２８）の前記第２のミラーユニット（１８ｉ，２８ｉ）がそれぞれ、２つの前記光軸（Ｅ１，Ｅ２）のうちの一方に対して半球状または回転放物面体状の配置形式で配置されている、
ことを特徴とする、請求項１２または１３に記載の装置。
【請求項１６】
測定装置において、請求項１から１５のいずれか１項に記載の装置（１）、および画像信号（Ｓ１）をアウトプットする画像センサ（２１）を備えた、カメラホルダ（６）内に保持されたカメラ（８）を有することを特徴とする、測定装置。
【請求項１７】
請求項１から１５のいずれか１項に記載の装置（１）を使用してカメラ（８）を測定するための方法において、少なくとも、
画像センサ（２１）を有するカメラ（８）をカメラホルダ（６）内に保持するステップを有し、
様々な被写体幅を有するテストパターン（１２）のコリメータ光（１４）を出射するためのコリメータ装置（２）の様々な被写体幅または焦点合わせを調節するステップを有し、
コリメータ装置（２）とカメラ（８）との間の光線の光路内に配置された、調整可能な第１のミラー装置（４）の様々な旋回位置（α，β）を調節することで、前記第１のミラー装置（４）から該第１のミラー装置の前記旋回位置（α，β）に反射される光（１６−ｉ）を、連続的に第２のミラー装置（５）の様々な第２のミラーユニット（１８−ｉ，２０−ｉ，２８−ｉ）に偏向させ、これらの第２のミラーユニット（１８−ｉ，２０−ｉ，２８−ｉ）によって、光をそれぞれ測定しようとするカメラ（８）に偏向させるステップを有しており、この際に、コリメータ装置（２）からカメラ（８）までの光路（１４，１６−ｉ，１８−ｉ）の全長が、第１のミラー装置（４）のすべての旋回位置において同じであり、前記テストパターンが前記画像センサ（２１）の様々な画像領域において様々な旋回位置で結像される、
カメラを測定するための方法。
【請求項１８】
前記様々な被写体幅または焦点合わせおよび前記様々な旋回位置（α，β）を、それぞれ連続的な内ループおよび外ループで連続的に調節し、前記外ループの各調節時にそれぞれ前記内ループの様々な調節を連続的に行うことを特徴とする、請求項１７に記載の方法。
【請求項１９】
次いで、前記カメラ（８）から前記第１のミラー装置（４）の様々な前記旋回位置（α，β）および様々な被写体幅においてアウトプットされた画像信号（Ｓ１）のコントラストを、変調伝達関数を形成しながら評価することを特徴とする、請求項１７または１８に記載の方法。
【発明の詳細な説明】
【技術分野】
【０００１】
車両の運転者アシストシステムに使用されるカメラは、一般的に固定焦点構造、つまり焦点合わせが固定された構造を有して製造されている。カメラは、対物レンズの焦点面が画像センサの表面に正しく調整されているかどうかについて検査されなければならない。このために一般的に、モータ制御により同調可能なコリメータから投影される、様々な仮想の対象物間隔より成るテストパターンが視野内の様々な位置において撮像される。被検体が焦点合わせされる対象物間隔を算出するために、間隔範囲を、それぞれ複数のステップで無限大〜２ｍの間で変えることができる。各位置および各対象物間隔のために、好適な形式で、テストパターンの撮像された画像において規定可能なパルス応答から、コントラストの大きさとしてのＭＴＦ（ｍｏｄｕｌａｔｉｏｎ  ｔｒａｎｓｆｅｒ  ｆｕｎｃｔｉｏｎ：変調伝達関数）が算出される。対象物間隔の同調は、スルーフォーカススキャン（Ｔｈｒｏｕｇｈ−Ｆｏｃｕｓ−Ｓｃａｎ）とも称呼される。
【背景技術】
【０００２】
カメラは、一般的に、被写界深度が運転者アシスト機能にとって重要な間隔範囲を確実にカバーするように焦点合わせされ、一般的に、大きい間隔の対象物も、また短い間隔の対象物も十分良好なコントラストを有して結像されなければならない。このような特性は、視野の様々な位置において、つまり、例えばイメージャのコーナー若しくはイメージャにより提供された画像のコーナー等の、より大きく離れている画像領域においても得られなければならない。
【０００３】
カメラの検査は、一般的に、テストパターンを様々な視野位置において撮像できるようにするために、カメラとコリメータとが互いに相対的に回動させられることによって行われる。従って、カメラを保持するホルダまたはコリメータが回転可能または旋回可能となっている。それに応じて、様々な旋回位置において同調可能なコリメータを用いて何度も測定する必要がある。
【０００４】
検査しようとするカメラまたはコリメータが回転または傾倒させられる場合、その都度、整列調整装置の回転中心点に対する正確なセンタリングが必要である。このような測定においては、一般的にテストパターンが外ループとしての別の視野位置にずらされ、スルーフォーカススキャンが測定経過の内ループとして実施される。何故ならばテストパターンの整列調整のためには時間がかかるからである。
【０００５】
従って、このような形式の測定は一般的に高価であり、様々な旋回位置におけるカメラおよび／またはコリメータの正確な調整が必要である。
【０００６】
特許文献１には、カメラを製造するための装置について記載されており、この装置において、第１の較正フィールドが保持装置に保持され、より大きい仮想の対象物間隔のための第２の較正フィールドが保持装置から分離して設けられており、この場合、第２の較正フィールドは、保持装置内に保持された複数のミラーユニットを介してカメラによって検出され得る。カメラの画像センサの位置は、六脚装置によって正確に位置決めされ得る。従って、複数の較正フィールド、およびミラーユニットより成る偏向装置によって、仮想の対象物間隔のより広い領域が実現され得る。
【先行技術文献】
【特許文献】
【０００７】
【特許文献１】ドイツ連邦共和国特許公開第１０２００４０１０９５８号明細書
【発明の概要】
【０００８】
本発明による、カメラを測定するための装置は、従来技術のものに対して多くの利点を有している。本発明によれば、カメラのイメージャの様々な画像領域若しくは領域を連続的に検査するために、旋回可能な第１のミラー装置を備えたミラーデバイスが設けられている。様々な旋回位置を調節することによって、コリメータ装置からアウトプットされたテストパターンが、イメージャチップの様々な画像領域若しくは領域に向けて偏向され、このためにカメラを調節する必要はない。調節可能な第１のミラー装置は、光を出射する装置からアウトプットされた光を、様々な傾斜角度で第２のミラー装置の第２のミラーユニットに向けて偏向させ、これらの第２のミラーユニットは、この光をカメラ若しくはカメラの入射瞳に向けて偏向させる。この場合、カメラ位置は、カメラホルダによって正確に規定されている。
【０００９】
カメラ位置とは、光路を観察する際の、特に保持しようとするカメラの対物レンズの入射瞳の位置のことである。
【００１０】
従って、カメラは、調節する必要のない固定的なカメラ保持部内で保持することができる。カメラ保持部は、特にコリメータ保持部と第２のミラー装置との間に固定的に若しくは堅固に配置され得る。
【００１１】
従って、イメージャ若しくはカメラを測定するためには、第１のミラー装置の様々な傾斜角度を調節するだけでよく、カメラおよび／またはコリメータを全体的に傾倒または旋回させる必要はない。第１のミラー装置は、特に２つのずらされた軸線、例えば互いに直交し合う２つの旋回軸線を中心にして旋回せしめられ、これによってテストパターンが連続的にイメージャチップの２次元平面に結像される。第２のミラーユニットは好適にはフラットに構成されており、旋回可能または傾倒可能な第１のミラー装置も、好適な形式でフラットに構成されているので、焦点合わせはコリメータ装置だけによって行われる。
【００１２】
特に好適な実施態様によれば、第２のミラー装置の複数の第２のミラーユニットは、コリメータ装置からカメラ位置若しくはカメラの入射瞳までの光路の全長が、様々な旋回位置において完全にまたは少なくとも実質的に同じであるように、配置されており、この場合、例えば公差値内の差異は許容される。従って、全長は特に、コリメータ装置から旋回可能な第１のミラー装置までの光路と、この第１のミラー装置から第２のミラー装置までの光路と、この第２のミラー装置からカメラまでの光路とから構成されている。このような構成は、特に第２のミラーユニットの半球状および／または回転楕円形体状の配置によって得られる。このために第２のミラーユニットは、第２のミラーホルダ内に保持され、例えば鋳込まれているかまたは堅固に固定されていてよい。
【００１３】
好適な形式で、各旋回位置のために、つまり特に２つの傾斜角度の様々な値の対のために、それぞれ１つの第２のミラーユニットが設けられているので、光路長の正確な適合が行われ得る。
【００１４】
本発明の特別な利点は、旋回させなければならない質量が小さく維持され得る、という点にある。何故ならば、第１のミラー装置だけを位置調節するだけで済むからである。この第１のミラー装置は、例えば、ミラー調整装置によって様々な傾斜角度に調節される唯一のフラットな第１のミラーであってよい。様々な被写体幅若しくは焦点合わせは、公知の形式で焦点合わせ可能なコリメータ装置によって行われるが、このコリメータ装置を補助的に旋回させる必要はない。
【００１５】
従って、様々なカメラが連続的にカメラホルダ内に保持され、様々な焦点合わせを調節することによって、様々な傾斜角度が測定される。この調節は、内ループおよび外ループによって実施され得る。
【００１６】
本発明の別の利点は、測定経過のループ構造を従来のシステムに対して変えることができるので、コリメータは、外ループ内で唯一のスルーフォーカススキャンを実施することができ、調節可能な第１のミラーユニットが内ループ内でそれぞれ迅速に相次いで画像位置を調節することができる、という点にある。
【００１７】
別の利点は、カメラまたはコリメータ装置のような大きい質量を旋回させる場合と比較して、小さい質量で構成され得る、迅速かつ正確に調節可能な第１のミラーユニットを調節しながら、短縮された検査時間で測定を行うことができる、という点にある。
【００１８】
それぞれ同じカメラの測定の他に、様々な開放角度を有するカメラを測定することもできる。このために、第２のミラー装置は好適な形式で、様々な開放角度を有するカメラのための様々なミラーセットを備えて設計されている。つまり、一般的に、より大きい開放角度を有するカメラのための、より大きく互いに離れているミラーユニットを備えて設計されている。従って、このような形式の第２のミラー装置は、様々なカメラのために使用することができ、このために交換、変更または調節を行う必要はなく、単にミラー調整装置および／またはコリメータ装置の調整装置を制御する制御信号のためのソフトウエア適合を行うだけでよい。
【００１９】
単眼接眼レンズカメラの測定だけではなく、ステレオカメラシステムの測定も可能である。この場合、２つの個別のカメラを１つずつ、様々な旋回位置を調節することによって連続的に測定若しくは問い合わせることができるので、この場合も、制御信号を適合させるだけでよい。第２のミラー装置は、好適な形式で、ステレオカメラシステムの２つの軸線のための様々なミラーセットを有していて、これらのミラーセットは、互いにずらされた半球状若しくは回転放物面体状に配置されており、それによって、このような構成のためにも、定置に配置されたミラーセットを有する１つの共通の第２のミラー装置を必要とするだけであり、この場合、第２のミラー装置を変更または交換する必要はない。
【００２０】
従って、複数のミラーセットを有する第２のミラー装置を使用することによって、様々な開放角度を有するカメラおよび／またはステレオカメラのために複雑な測定が可能であり、この場合、ミラー調整装置の制御および／またはコリメータ装置の焦点合わせの制御のためのソフトウエアの構成の適合が必要なだけである、という利点もある。
【００２１】
調節可能な第１のミラーユニットは、特に２つの軸線を中心にして傾倒可能な第１のミラーを有していてよい。これは例えば、モータ制御式の２軸ユニットによって実現され得る。しかしながら、選択的に、異なる傾斜角度を中心にして旋回可能な２つのミラーより成る組合せ式システム、例えば検流計ミラーも実現可能であり、これは例えばレーザ加工において既に公知である。
【００２２】
本発明によればさらに、所定の気象条件も調節することができる。従って、様々な気象条件下、つまり様々な温度条件下または湿気条件下で複数の測定を、検査しようとするカメラにおいて連続的に調節することができる。カメラはカメラホルダ内に、固定的におよび様々な旋回角度の調節を行うことなしに、保持されるので、旋回可能なカメラ保持部の絶縁の問題は省くことができる。従って、定置に保持されたカメラは、高価な費用をかけることなしに、様々な条件下に晒すことができる。
【００２３】
別の利点は、評価および制御装置によって正確に調節され得る、３つの軸線だけ、つまり光を出射する装置若しくはコリメータ装置のスルーフォーカススキャンのための１つの軸線、および第１のミラー装置の２つの旋回軸線だけを、モータ制御式に構成すればよい、という点にある。コリメータの無限大位置の、測定精度のために重要な較正は、単独のコリメータのためだけに必要であり、様々な測定フィールド位置のための歪みは避けられる。
【００２４】
テストパターンを様々な測定位置に偏向させるために唯一のコリメータを使用することによって、例えば暗視システムまたは画像評価システムの測定のために必要な、光源のスペクトル配置の適合も簡単に行うことができる。
【図面の簡単な説明】
【００２５】
【図１】１実施例による測定装置の側面図である。
【図２】定置の第２のミラー装置の原理を示す正面図である。
【図３】２つの異なるカメラを連続的に測定するための別の実施例による定置の第２のミラー装置の正面図である。
【図４】２つの個別のカメラを備えたステレオカメラ装置を測定するための別の実施例による定置の第２のミラー装置の正面図である。
【図５】１実施例による測定法のフローチャートである。
【発明を実施するための形態】
【００２６】
測定装置１は、図１に示した、コリメータ装置として用いられる焦点合わせ可能なコリメータ２と、旋回可能に保持された第１のミラー４を備えたミラー調整装置３と、定置の第２のミラー装置５と、カメラ位置７に収容された、検査しようとするカメラ８を備えたカメラホルダ６とを有している。
【００２７】
コリメータ２は公知の形式で、
ハウジング２ａと、光学装置９と、ハウジング２ａの後部領域内に配置された光源としての例えばＬＥＤユニット１０と、調整装置１５によってハウジング２ａ内で光軸Ａに沿って調節可能なテストパターン（Ｔｅｓｔｐａｔｔｅｒｎ）１２とを有している。
【００２８】
光学装置９は、好適な形式で、ハウジング２ａ内における定置の位置を有する接眼レンズ（集光レンズ）である。テストパターン１２は、例えばエッチングされたプレートまたはガラス板、例えば図３に示された十字形のテストパターン１２であってよく、このテストパターン１２は、後方からＬＥＤユニット１０によって照明され、それによって、前方つまり接眼レンズ９に向かって、次にカメラ８の全光学装置を介して結像されるべき、光を出射する被写体として現れる。従って、コリメータ２内におけるテストパターン１２の様々な長手方向位置は、検査しようとするカメラ８によって結像されるべき被写体幅若しくは対象物幅を表示するために用いられる。
【００２９】
コリメータ２若しくはそのコリメータハウジング２ａは、測定装置１のコリメータ収容部１１内に固定的に支承されており、それによってコリメータ２の焦点合わせを調整するための調整装置１５は、コリメータ収容部１１に対して調整可能である。コリメータ２から出射された光１４は、光軸Ａに沿って、旋回可能な第１のミラー４に向かって進む。第１のミラー４は、ミラー調整装置３を介して、光軸Ａに対して平行ではない２つの直交旋回軸線ＣおよびＤを中心にして旋回可能である。第１のミラー４はその複数の旋回位置において、それぞれ光軸Ａに対して直交する位置に配置されないので、入射する光１４はコリメータ２に向かって直接的に戻し反射されるのではなく、第２のミラー装置５に向かって反射される。旋回軸線ＣおよびＤは、好適な形式で第１のミラー４に対して平行に延在している。２つの旋回軸線ＣおよびＤを中心にして旋回可能な唯一のミラーの代わりに、基本的にそれぞれ旋回軸線を中心にして旋回可能な２つの第１のミラーを備えたミラー装置が設けられていてもよい。
【００３０】
第１のミラー４は好適な形式でフラットに構成されている。図１において、旋回軸線Ｃは投影平面に対して垂直に延在し、別の旋回軸線Ｄは投影平面に延在している。
【００３１】
第１のミラー４は、入射した光１４をその旋回位置に応じて様々な方向に、光路１６−１，１６−２として、つまりｉ＝１，２，３を有する１６ｉとして反射し、図１には例として光路１６−ｉおよび１６−（ｉ＋１）が示されている。各光路１６−ｉは、第２のミラー装置５の、ｉ＝１，２，…を有する第２のミラーユニット１８−ｉに向かって偏向される。個別の第２のミラーユニット１８−１，１８−２，…は、好適な形式でやはりフラットに構成されていて、凹状、球面状若しくは半球状または楕円状に成形された第２のミラーホルダ１９に収容されている。
【００３２】
好適には、第１のミラー４および第２のミラーユニット１８−ｉのフラットな構成によって、焦点合わせはコリメータ２だけによって定められ、ミラー４およびミラーユニット１８−ｉの正確な製造が安価に得られる。しかしながら基本的に、第１のミラー４および／または第２のミラーユニット１８−ｉの非扁平な構成も可能であるが、この場合は、それぞれの被写体幅を算出する際にカメラ８に応じて考慮する必要がある。
【００３３】
個別の第２のミラーユニット１８−ｉは、入射する光路１６−ｉをそれぞれカメラ８の対物レンズの入射瞳８ａに反射し、それによって、その画像センサ（Ｉｍａｇｅｒｃｈｉｐ）２１が、（実質的に）図２に示された第２のミラー装置５の正面図に相当する画像を供給する。
【００３４】
図２、および図３、図４の別の実施例には、第２のミラーユニット１８−ｉの複数の位置におけるテストパターンの相応の画像Ｂ１２が示されており、従って図２〜図４は、見やすくするために、第２のミラーユニットの正面図に、カメラの画像センサ２１によって撮像された画像若しくは発生された画像信号Ｓ１を重ね合わせた図を示す。
【００３５】
画像信号Ｓ１は、制御および評価装置３０にアウトプットされ、また制御および評価装置３０は制御信号Ｓ２をミラー調整装置３および調整装置１５にアウトプットする。制御および評価装置３０はここでは概略的に示されていて、相応に制御および評価するための複数のユニットから形成されていてもよい。
【００３６】
従って、ミラー４のＣ軸線周りの旋回角度（傾斜角）αおよびＤ軸線周りの旋回角度βの調節に応じて、テストパターン１２の画像Ｂ１２は、カメラ８からアウトプットされた画像信号Ｓ１の様々な水平方向位置（ｘ軸）および垂直方向位置（ｙ軸）で示される。従って、αおよびβの様々な角度値におけるテストパターン１２の画像Ｂ１２のマトリックス配置が得られる。
【００３７】
従って、カメラ８の画像センサ２１内の様々な視野位置が、ミラー調整装置３の旋回角度αおよびβによって調節されるので、位置および品質の検査を行うことができる。
【００３８】
個別の第２のミラーユニット１８−ｉは好適な形式で、様々な角度位置における第１のミラー４から、第２のミラーユニット１８−ｉを介してカメラ８の入射瞳８ａまでの全光路が、すべてのｉのために同じであるように配置されている。これは、第２のミラーホルダ１９における第２のミラーユニット１８−ｉの半球状若しくは楕円状の配置によって得られる。何故ならば、このような配置形式においては、第１のミラー４（若しくはミラー４における旋回軸線ＣおよびＤの交差点）から、それぞれの第２のミラーユニット１８−ｉを介して対物レンズ８ａまでの間隔の合計が一定だからである。
【００３９】
従って、コリメータ収容部１１、第２のミラーホルダ１９およびカメラホルダ６は、互いに定置に配置されていて、好適な形式で測定装置１のフレーム内に収容されている。カメラホルダ６は、カメラ８の光学配置における規定されたカメラ位置７を可能にする。
【００４０】
基本的に、例えば１つの定置のミラー装置５より多くのミラー、または２つの異なる旋回軸線を中心にして傾倒可能な２つのミラーを有する複雑なミラー構造も可能であるが、図示の構成が、第２のミラーユニット１８−ｉの半球状若しくは楕円状の配置による同じ光路長の構成に関連して有利である。
【００４１】
光学式のカメラ８の結像特性を完全に測定するために、カメラ８の画像信号Ｓ１が、様々な位置の様々な仮想の対象物間隔において、画像センサ（イメージャ）２１によって記録される。様々な仮想の対象物間隔は、コリメータ２の調整装置１５によって調整され、実際の対象物間隔例えば２ｍ〜無限大の間に相当する。
【００４２】
好適な形式で、すべての値を検出するために、内ループおよび外ループが実施される。好適な形式で、角度調節αおよびβは、画像センサ２内のｘ方向およびｙ方向に従って内ループとして実施され、外ループとしてのコリメータ２１の調節によって、スルーフォーカススキャン（Ｔｈｒｏｕｇｈ−Ｆｏｃｕｓ−Ｓｃａｎ）が実施される。従ってその都度、調整装置１５によってコリメータ２の焦点調節が行われ、続いて、この焦点調節のために、αおよびβのすべての値が測定され、この際に、それぞれ画像信号Ｓ１が記録され、続いて、調整装置１５の次の調節が行われ、この際に、すべての角度値αおよびβが再び連続的に調節され、画像信号Ｓ１の記録その他が行われる。
【００４３】
測定装置１による測定は、異なる気象条件においても実施される。従って、異なる温度値および／または湿気値のために、すべての焦点調節および角度調節α，βを伴う測定がそれぞれ行われる。この場合、このような形式の異なる温度条件および／または気象条件に合わせたミラー４の傾き調整は技術的に容易に実現可能である。何故ならば第２のミラー４は僅かな質量しか有していないからである。
【００４４】
測定装置１によって、異なる開放角度γを有するカメラ８を使用することもできる。好適な形式で、改造若しくはハードウエア的な変更を行うことなしに、画像信号Ｓ１を評価若しくは処理するための評価ソフトウエアの構造的な適合だけで、異なる開放角度γを有するカメラ８のための測定装置１が実現される。
【００４５】
図３は、第２のミラー装置５の正面図を示し、この第２のミラー装置５は、２つのミラーセット、つまり広い開放角度γを有するカメラ８のための、ｉ＝１〜９を有するミラーユニット１８−ｉより成るミラーセット１８と、狭い開放角度γを有する別のカメラ８のためのｉ＝１〜９を有するミラーユニット２０−ｉより成る別のミラーセット２０とを有している。カメラ８の光軸Ｅは、２つのミラーセット１８および２０を通って対称的に延在しており、従ってこれらのミラーセット１８および２０は、互いに対称的に設計されているか、または拡大若しくは縮小された結像のために設計されている。
【００４６】
従って図３においては、第２のミラー装置５の外側のケースは、より大きい開放角度を有するカメラ８の画像センサ２１に相当し、それに対応して、ミラーユニット２０−ｉを包囲する内側のケースは、小さい開放角度を有するカメラ８の画像センサ２１に相当し、この外側のケースおよび内側のケースは、同じ光軸Ｅを有している。
【００４７】
図４は、２つのカメラつまり互いにずらされた２つの光軸Ｅ１およびＥ２を有するステレオカメラ装置を測定するための第２のミラー装置５の構成を示す。このために、やはり１つの共通の第１の調節可能なミラー４と、１つの共通の第２のミラー装置５とが使用され、これらの第１のミラー４および第２のミラー装置５は、ステレオカメラ装置の左のカメラのためのｉ＝１〜９を有する左の第２のミラーユニット１８−ｉを有する左のミラーセット１８と、右のカメラのためのｉ＝１〜９を有する右の第２のミラーユニット２８−ｉを有する右のミラーセット２８とを有している。従って、左のミラーユニット１８−ｉは、光軸Ｅ１を有する第１の半球体若しくは第１の回転放物面体に配置され、右のカメラ８の右のミラーユニット２８−ｉは、前記光軸Ｅ１に対してずらされた光軸Ｅ２を有する第２の半球体若しくは第２の回転楕円形体に配置されており、この場合、すべてのミラーユニット１８−ｉおよび２８−ｉは、第２のミラー装置５内に固定的に保持されている。
【００４８】
本発明による測定法は、図５のフローチャートに例として示されている。ステップＳｔ０において開始され、次いで外ループＳｔ１および内ループＳｔ２が実施される。外ループＳｔ２は、様々なスルーフォーカス値（Ｔｈｒｏｕｇｈ−Ｆｏｃｕｓ−Ｗｅｒｔｅｎ）の調節のために使用され、このためにコリメータ２の調整装置１５によって、ｋ＝１〜ｋ＝ｎまでのパラメータの値の調節が行われる。内ループＳｔ２は、異なる傾斜角度α，βの調節のために用いられ、このためにｎ＝１〜ｎ＝ｊのパラメータが実行される。
【００４９】
図５に示したループでは、最初にパラメータｋおよびｎが１に設定されており、それに続く増分は例として示されているだけである。
【００５０】
ステップＳｔ３で、それぞれカメラ８によって画像が撮像され、画像信号Ｓ１が発生され、この画像信号Ｓ１がステップＳｔ４で評価され、図２に示した実施例では、この方法はステップＳｔ５で終了する。様々な開放角度γを有するカメラ８の測定のために、様々なカメラ８が連続的にカメラホルダ６内に設置され、図５に示した測定方法が実施される。ステレオカメラの測定のためには、ステップＳｔ０におけるスタート後に、同様に２つの個別のカメラ８のために、内ループＳｔ２および外ループＳｔ１が実施され、次いでステップＳｔ３で測定が行われ、次いでステップＳｔ４で共通の評価が行われる。
【符号の説明】
【００５１】
１  測定装置
２  コリメータ
２ａ  ハウジング
３  ミラー調整装置
４  第１のミラー
５  第２のミラー装置
６  カメラホルダ
７  カメラ位置
８  カメラ
８ａ  入射瞳、対物レンズ
９  光学装置
１０  ＬＥＤユニット
１１  コリメータ収容部
１２  テストパターン
１４  光
１５  調整装置
１６−ｉ，１６−（ｉ＋１）  光路
１８  ミラーセット
１８−ｉ，２０−ｉ，２８−ｉ  第２のミラーユニット
１９  ミラーホルダ
２０  ミラーセット
２１  画像センサ
３０  制御および評価装置
Ａ，Ｅ１，Ｅ２  光軸
Ｃ，Ｄ  旋回軸線
Ｂ１２  画像
Ｓ１，Ｓ２  画像信号
α，β  旋回角度、角度値
γ  開放角度
Ｓｔ０，Ｓｔ３〜Ｓｔ５  ステップ
Ｓｔ１  外ループ
Ｓｔ２  内ループ
【図１】
0005893758.tif 000002
【図２】
0005893758.tif 000003
【図３】
0005893758.tif 000004
【図４】
0005893758.tif 000005
【図５】
0005893758.tif 000006